(57)【要約】【課題】  衣類や布団の乾燥運転における高温温風の送風時間を減少させた乾燥機能付き除湿機を提供する。【解決手段】  熱交温度センサ４１での検知温度の上昇に伴いダンパー４４の開度を変更し、冷風経路３７からバイパス経路４５を通過し凝縮器６を介して温風経路３８へ流入する冷風量を増加させるので、除湿機の乾燥運転での熱交温度センサ４１の検知温度による凝縮器６の温度上昇が緩やかになることから、経過時間当たりにおける６０℃付近の高温温風が吹き出す割合が従来と比較し本発明の方が減少するため、高温温風に弱い素材で作られた衣類や高温に弱いウレタン等で作られた布団について本発明の乾燥運転を実施することで、高温温風による衣類や布団の痛みを抑制することができる。【選択図】  図７
2020078786.tif 000002
【特許請求の範囲】
【請求項１】
本体ケース内にあり圧縮機、凝縮器、膨張器、蒸発器を順次冷媒配管で連通し冷媒を循環する冷凍サイクルと、
前記凝縮器へ送る空気を吸い込む温風吸込口から前記凝縮器で加熱された温風を吹き出す温風吹出口までの経路を構成する温風経路と、
前記蒸発器へ送る空気を吸い込む冷風吸込口から前記蒸発器で冷却された冷風を吹き出す冷風吹出口までの経路を構成する冷風経路と、
前記温風経路及び前記冷風経路の空気を送風するファンを駆動する送風モータと、
前記冷風経路内の冷風が前記凝縮器を介して前記温風経路内へ供給可能とするバイパス経路と、
当該バイパス経路内に設置され前記冷風経路から前記温風経路への冷風の供給量を開度変更により調節する冷風調節手段と、
前記温風吹出口から送風される温風温度を推定する温風温度推定手段と、
当該温風温度推定手段で推定された温風温度が所定の高温値以上であれば前記圧縮機を停止させる制御部と、を備え、
前記制御部は、前記温風温度推定手段で推定された温風温度が前記所定の高温値よりも低い所定の開度変更温度以上のとき、前記冷風経路を通過する冷風の一部が前記バイパス経路を通過し前記温風経路へ供給されるよう前記冷風調節手段の開度を調節することを特徴とした乾燥機能付き除湿機。
【請求項２】
前記制御部は、前記温風温度推定手段で推定された温風温度が前記所定の高温値よりも低く前記所定の開度変更温度よりも高い所定値以上のとき、前記温風温度推定手段で推定された温風温度が前記所定の開度変更温度以上かつ前記所定値未満のときよりも多くの冷風が前記温風経路へ供給されるよう前記冷風調節手段の開度を調節することを特徴とした請求項１記載の乾燥機能付き除湿機。
【請求項３】
前記本体ケースが設置された室内の温度を検知する室温センサを備え、
前記制御部は、前記室温センサで検知された室温が所定値以下のとき、前記冷風経路を通過する冷風の一部が前記バイパス経路を通過し前記温風経路へ供給されるよう前記冷風調節手段の開度を調節することを特徴とした請求項１または２記載の乾燥機能付き除湿機。
【発明の詳細な説明】
【技術分野】
【０００１】
この発明は、衣類や布団等の乾燥機能を備えた除湿機に関するものである。
【背景技術】
【０００２】
従来、この種のものでは、本体ケース内に冷凍サイクルを有し、本体ケース内へ取り込んだ空気が蒸発器を通過することで除湿され、凝縮器を通過させることで加熱した温風を吹出口から吹き出し可能とし、吹出口に設置されたダクトから温風が送風されることで衣類や布団の乾燥を可能としたものがあり、凝縮器の温度が上昇し吹出口から送風される温風温度が必要以上に高温となった場合は安全制御が働き運転を一時停止させ、凝縮器の温度が十分低下したら安全制御を解除して再度吹出口から温風を吹き出していた（例えば、特許文献１）。
【先行技術文献】
【特許文献】
【０００３】
【特許文献１】特公昭６１−１９８８９号公報
【発明の概要】
【発明が解決しようとする課題】
【０００４】
しかし、この従来のものでは、環境温度が高いことや吹出口の先の通風抵抗が大きかったりすると、安全制御により運転を停止させる高温に温風温度が達するまでの時間が短くなり、衣類や布団の乾燥運転の実施時間における高温の温風が吹き出される時間の割合が大きくなることから、高温に弱い素材で作られた衣類や布団について高温の温風が送風されることで痛む虞があるため、改善の余地があった。
【課題を解決するための手段】
【０００５】
上記課題を解決するために、本発明の請求項１では、本体ケース内にあり圧縮機、凝縮器、膨張器、蒸発器を順次冷媒配管で連通し冷媒を循環する冷凍サイクルと、
前記凝縮器へ送る空気を吸い込む温風吸込口から前記凝縮器で加熱された温風を吹き出す温風吹出口までの経路を構成する温風経路と、
前記蒸発器へ送る空気を吸い込む冷風吸込口から前記蒸発器で冷却された冷風を吹き出す冷風吹出口までの経路を構成する冷風経路と、
前記温風経路及び前記冷風経路の空気を送風するファンを駆動する送風モータと、
前記冷風経路内の冷風が前記凝縮器を介して前記温風経路内へ供給可能とするバイパス経路と、
当該バイパス経路内に設置され前記冷風経路から前記温風経路への冷風の供給量を開度変更により調節する冷風調節手段と、
前記温風吹出口から送風される温風温度を推定する温風温度推定手段と、
当該温風温度推定手段で推定された温風温度が所定の高温値以上であれば前記圧縮機を停止させる制御部と、を備え、
前記制御部は、前記温風温度推定手段で推定された温風温度が前記所定の高温値よりも低い所定の開度変更温度以上のとき、前記冷風経路を通過する冷風の一部が前記バイパス経路を通過し前記温風経路へ供給されるよう前記冷風調節手段の開度を調節することを特徴としている。
【０００６】
また、前記制御部は、前記温風温度推定手段で推定された温風温度が前記所定の高温値よりも低く前記所定の開度変更温度よりも高い所定値以上のとき、前記温風温度推定手段で推定された温風温度が前記所定の開度変更温度以上かつ前記所定値未満のときよりも多くの冷風が前記温風経路へ供給されるよう前記冷風調節手段の開度を調節することを特徴としている。
【０００７】
また、前記本体ケースが設置された室内の温度を検知する室温センサを備え、
前記制御部は、前記室温センサで検知された室温が所定値以下のとき、前記冷風経路を通過する冷風の一部が前記バイパス経路を通過し前記温風経路へ供給されるよう前記冷風調節手段の開度を調節することを特徴としている。
【発明の効果】
【０００８】
この発明によれば、温風温度推定手段で推定された温度が所定の高温値よりも低い所定の開度変更温度以上のとき、冷風経路を通過する冷風の一部がバイパス経路を通過し温風経路へ供給されるよう冷風調節手段の開度を調節するので、凝縮器を介して温風経路を通過する温風温度の上昇が緩やかになり、乾燥運転の実施時間における高温の温風が吹き出される時間の割合が減少することから衣類や布団に高温の温風が送風される時間が減少するため、高温に弱い素材で作られた衣類や布団の痛みを抑制することができる。
【０００９】
また、温風温度推定手段で推定された温度が所定の高温値よりも低く所定の開度変更温度よりも高い所定値以上のとき、温風温度推定手段で推定された温風温度が所定の開度変更温度以上かつ所定値未満のときよりも多くの冷風が温風経路へ供給されるよう冷風調節手段の開度を調節するので、温風温度が更に高まった場合に温風経路へ供給する冷風量を増大させることで凝縮器を介して温風経路を通過する温風温度の上昇が更に緩やかになり、乾燥運転を実施時間における高温の温風が吹き出される時間の割合が減少することから衣類や布団に高温の温風が送風される時間が減少するため、高温に弱い素材で作られた衣類や布団の痛みを抑制することができる。
【００１０】
また、本体ケースが設置された室内の温度を検知する室温センサを備え、室温センサで検知された室温が所定値以下のとき、冷風経路を通過する冷風の一部がバイパス経路を通過し温風経路へ供給されるよう冷風調節手段の開度を調節するので、室内へ送風される冷風量を減少させつつ温風温度を低下させることができるため、室内温度の低下を防止し、乾燥運転を実施時間における高温の温風が吹き出される時間の割合が減少することから衣類や布団に高温の温風が送風される時間が減少するため、高温に弱い素材で作られた衣類や布団の痛みを抑制することができる。
【図面の簡単な説明】
【００１１】
【図１】本発明の実施例による除湿機の斜視図である。
【図２】本発明の除湿機の内部構造を説明する平面視断面図である。
【図３】本発明の除湿機の内部構造を説明する側面視断面図である。
【図４】本発明の除湿機の温風吹出口にダクトを設置する手順を示す図である。
【図５】本発明の除湿機の制御ブロック図である。
【図６】本発明の除湿機の乾燥運転時における作動を説明するフローチャートである。
【図７】本発明の除湿機の乾燥運転時における通常モードでの各部の作動内容と温風温度の変化を示すタイミングチャートである。
【図８】本発明の除湿機の乾燥運転時における低温モードでの各部の作動内容と温風温度の変化を示すタイミングチャートである。
【図９】本発明の除湿機の冷風、温風の動きを説明する簡易側面視断面図である。
【図１０】本発明の除湿機の乾燥運転時における温風温度の変化と従来の除湿機の乾燥運転における温風温度の変化とを比較説明する図である。
【発明を実施するための形態】
【００１２】
本発明の実施の形態を図に基づいて以下に説明する。
１は除湿機本体を構成する本体ケースで、底板２と前面、上面、背面の中央にて係合する右枠３と左枠４にて構成している。前記本体ケース１内には冷凍サイクルを構成する蒸発器５と凝縮器６と圧縮機３９、膨張器４０を備え、前記蒸発器５の下流側には冷風用ファン７を、凝縮器６の下流側には温風用ファン８を設け、前記冷風用ファン７と温風用ファン８を同一の軸にて回転する送風モータ９を隔壁１０の冷風用ファン７側に固定している。
【００１３】
送風モータ９は風量をＦ０、Ｆ１、Ｆ２、Ｆ３、Ｆ４、Ｆ５の６段階で可変させることができ、Ｆ０が最大回転数で駆動し最大風量での送風が実施され、Ｆ以後の数値が大きくなる毎に回転数が低下するため風量が小さくなる。
【００１４】
前記右枠３は右側面の中央から上部にかけて冷風吸込口１１を備え、この冷風吸込口１１を吸込空気内の埃を除去するフィルタ１２で覆っている。前記冷風吸込口１１の下方にはドレンタンク１３を着脱するタンク穴１４を設けている。前記ドレンタンク１３装着時には、ドレンタンク１３の外表面は右枠３の外表面と同一面に形成されている。前記冷風吸込口１１の上方には運搬時の手掛用凹部１５が一体に形成されている。
【００１５】
前記左枠４は左側面の中央から上部にかけて温風吸込口１６を備え、この温風吸込口１６を冷風吸込口１１と同様にフィルタ１２で覆っている。また前記右枠３の手掛用凹部１５と対向する位置に同じ形状の凹部１５が一体に形成されている。
【００１６】
前面下部中央の右枠３・左枠４の合わせ面から上方には前パネル１７を備え、この前パネル１７の上部には冷風吹出口１８を設けている。この冷風吹出口１８には冷風の左右方向の風向を調整すると共に停止時や除湿運転時に冷風吹出口１８を閉じる縦ルーバ１９が左右１対設けられ、この縦ルーバ１９に冷風の上下方向の風向を調整する多数の羽根２０が設けられている。
【００１７】
２１は前記本体ケース１上面の前側に設けられた操作部であり、操作部２１には、運転開始及び停止を指示する運転スイッチ２２と、室内へ冷風を送風する冷風運転、室内の除湿を行う除湿運転、衣類の乾燥を実施する衣類乾燥運転、布団の乾燥を実施する布団乾燥運転の各モードの切り替えを行うモード切替スイッチ２３と、運転停止までの時間を設定するタイマースイッチ２４と、運転状態を表示する多数のランプ２５とを備えている。
【００１８】
２６は温風吹出口で、前記本体ケース１上面の後ろ側から背面にかけて位置し、排気ルーバ２７の切替で温風の吹き出し方向を上方向と後ろ方向に切替るものである。前記排気ルーバ２７は上面と同一面で上面側の温風吹出口２６を覆い後方へ温風の排気を行う後方排気位置から、温風吹出口２６内部の左右に設けられた回動軸（図示せず）を支点として約９０度手動にて後方へ回動する事で、排気ルーバ２７は背面よりもやや突出する状態で、背面側の温風吹出口２６を覆い上方へ温風の排気を行うものである。
【００１９】
２８は排気ダクトで、布やポリエチレン等の柔軟性薄膜材料で形成されたダクト本体２９と、このダクト本体２９の一端に取り付けられた接続具３０で構成されている。また前記ダクト本体２９は薄膜がつぶれて送風抵抗が大きくなる事を防止するために、プラスッチック製で直径約１５ｃｍの補強リング３１が複数薄膜に縫い込まれている。
【００２０】
前記温風吹出口２６の背面側で、吹出口２６の左右と下側周囲にはコの字型の溝３２を形成したダクト取付部３３が右枠３や左枠４と一体に形成されている。
前記排気ダクト２８を温風吹出口２６に取り付けるには、排気ルーバ２７が上面側にあり、温風の吹き出し方向が後方側にセットされている状態であるかを確認し、前記接続具３０をダクト取付部３３の溝３２に上方から挿入し、ダクト本体２９を引き延ばして他端を窓等より部屋の外や廊下に出せば、補強リング３１によって送風路が確保され、排気ダクト２９のセットが完了する。
【００２１】
３４は本体ケース１の背面で温風吹出口２６の下方に位置する収納部蓋で、この収納部蓋３４と前記ファン７・８のファンケース３５間の空間に排気ダクト２８の収納部３６を形成している。
【００２２】
前記排気ダクト２８の着脱方法について図４に基づき説明すれば、収納部蓋３４を開いて収納部３６から排気ダクト２８を取り出し、排気ルーバ２７が上面側にあり、温風の吹き出し方向が後方側にセットされている状態であるかを確認し、接続具３０をダクト取付部３３の溝３２に上方から挿入し、ダクト本体２９を引き延ばして他端を窓等から屋外や廊下などの部屋の外に出せば、補強リング３１によって送風路が確保され、排気ダクト２９のセットが完了する。
【００２３】
排気ダクト２８を取り外すには、前記の取付手順の逆を行い、ダクト本体２９を小さく折り畳んで収納部３６に収納すれば良い。いつでも排気ダクト２８が必要なときに簡単に空気調和機に着脱でき、収納時の見栄えが良いだけでなく、排気ダクト２８を紛失したり何処かに片付けて忘れてしまうような事がないものである。
【００２４】
前記隔壁１０の右側には、冷風吸込口１１と蒸発器５、冷風用ファン７、冷風吹出口１８を連通して冷風経路３７を形成し、また、前記隔壁１０の左側には温風吸込口１６と凝縮器６、温風用ファン８、温風吹出口２６を連通して温風経路３８を形成している。
【００２５】
前記ファンケース３５は樹脂成形により隔壁１０と一体に設けられるか、又は別体に設けて爪等の係合で組み立てられて形成されている。
【００２６】
前記蒸発器５と凝縮器６は熱伝導性良好な多数のアルミウムフィンに銅管が貫通したフィンチューブ式の熱交換器である。
前記底板２上にはＯＮ／ＯＦＦ切り替えのみが可能な圧縮機３９を備え、この圧縮機３９と前記凝縮器６、キャピラリーチューブ等の膨脹器４０、蒸発器５を順次冷媒配管で連通し冷凍サイクルを形成している。
【００２７】
前記蒸発器５の下方にはドレンパン（図示せず）を設け、このドレンパンによって蒸発器５で発生した結露水を集め前記ドレンタンク１３に蓄えるものである。
【００２８】
４１は凝縮器６に設置され凝縮器６の検知温度から温風吹出口２６より送風される温風の温度を推定する温風温度推定手段としての熱交温度センサである。
【００２９】
４２は冷風吸込口１１に設置され本体ケース１が置かれた室内の室温を検知する室温センサである。
【００３０】
４３は冷風吸込口１１に設置され本体ケース１が置かれた室内の相対湿度を検知する湿度センサである。
【００３１】
４４は冷風吹出口１８付近の本体ケース１内にあるバイパス経路４５の途中に設置され開度が変更可能な冷風調節手段としてのダンパーであり、当該ダンパー４４の開度を変更することでバイパス経路４５を通過し凝縮器６を介して温風経路３８へ供給される冷風量と冷風吹出口１８から吹き出す冷風量が変化する。
【００３２】
ダンパー４４の開度とバイパス経路４５を通過する冷風量と冷風吹出口１８から吹き出す冷風量の関係について詳述すると、ダンパー４４が全閉のときは、図９の（Ａ）で示すように、冷風吹出口１８が全開でありバイパス経路４５に冷風が供給されず冷風経路３７の冷風が全て冷風吹出口１８から室内へ送風される。
ダンパー４４が前方向に１０°だけ動作した開１状態のときは、図９の（Ｂ）で示すように、バイパス経路４５内を冷風が通過可能となり温風経路３８へ供給されると共にダンパー４４の動作により縦ルーバ１９が連動して冷風吹出口１８が閉止する方向に動作し、バイパス経路４５へ供給されなかった冷風が冷風吹出口１８から室内へ送風される。
ダンパー４４が前方向に１５°だけ動作した開２状態のときは、図９の（Ｃ）で示すように、バイパス経路４５内をダンパー４４が開１の状態のときより多くの冷風が通過可能となり温風経路３８へ供給されると共にダンパー４４の動作により縦ルーバ１９が連動して冷風吹出口１８が更に閉止する方向に動作し、ダンパー４４が開１の状態より少量の冷風が冷風吹出口１８から室内へ送風される。
ダンパー４４が全開のときは、図９の（Ｄ）で示すように、ダンパー４４に連動して縦ルーバ１９が閉止するため、冷風経路３７内の冷風が全てバイパス経路４５内を通過し、凝縮器６を介して温風経路３８内へ供給され、冷風吹出口１８からは冷風が送風されない。
【００３３】
４６は冷風吹出口１８付近の本体ケース１内に設置され操作部２１の操作内容に基づき各駆動部材の作動内容を指示するマイコンで構成された制御部である。
【００３４】
（通常運転の説明）
次に、本実施形態における通常運転について説明する。
まず、操作部２１の運転スイッチ２２が操作されたら、制御部４６は送風モータ９を所定の風量で駆動させ、圧縮機３９をＯＮ状態にすることで、冷風吹出口１８から冷風を吹き出すと共に温風吹出口２６から温風を吹き出す。冷風吹出口１８から吹き出される冷風により室内の人に対してスポット的な冷房が可能であり、また、温風吹出口２６から送風される温風については排気ダクト２８を介して室外へ排出することで、温風により室内温度が上昇するのを防止することができる。
【００３５】
（過昇温度制御）
運転を継続することで凝縮器６の温度が上昇し、熱交温度センサ４１で検知される温度が所定の高温値である６５℃以上になったら、制御部４６は、過昇温度制御が働き圧縮機３９の駆動を停止させると共に送風モータ９を最大風量であるＦ０で駆動させることで凝縮器６の温度を低下させ、排気ダクト２８を介して高温の温風が排気されるのを防止することで、冷凍サイクルが高温状態になることでの製品の故障を防止する。
【００３６】
（乾燥運転の説明）
次に、本発明における衣類あるいは布団の乾燥運転について説明する。
乾燥運転を実施する場合、ユーザーが排気ルーバ２７を開放し温風吹出口２６から吹き出す温風が当たる位置に乾燥対象の衣類を干すか、温風吹出口２６に接続する排気ダクト２８の他端側を布団に装着して布団乾燥の準備を整えた状態にする。
【００３７】
乾燥運転が選択された場合の具体的な作動内容を図５のフローチャートに基づいて説明する。
まず、操作部２１の運転スイッチ２２がＯＮ操作された後にモード切替スイッチ２３で衣類あるいは布団乾燥運転が選択されたら、制御部４６は、圧縮機３９を駆動させることで生成される高温冷媒により凝縮器６を加熱する予備加熱動作を開始する（ステップＳ１０１）。
【００３８】
ステップＳ１０１で圧縮機３９の駆動を開始したら、制御部４６は、圧縮機３９の駆動開始から５分経過したか判断し（ステップＳ１０２）、５分経過していれば次のステップへ進み、５分経過していなければステップＳ１０２の判断を繰り返す。
【００３９】
ステップＳ１０２で圧縮機３９の駆動開始から５分経過していると判断したら、制御部４６は、送風モータ９を中程度の風量であるＦ３となるように駆動させ、冷風用ファン７と温風用ファン８とを回転させ冷風経路３７と温風経路３８とで送風を通過させる（ステップＳ１０３）。
【００４０】
ステップＳ１０３で送風モータ９を駆動させたら、制御部４６は、湿度センサ４３で検知された室内の相対湿度が５０％ＲＨ以上か判断し（ステップＳ１０４）、５０％ＲＨ以上であれば運転時間を１２０分に設定する（ステップＳ１０５）。
また、検知された湿度が５０％ＲＨ未満であれば、制御部４６は、運転時間を６０分に設定する（ステップＳ１０６）。
【００４１】
ステップＳ１０５、またはステップＳ１０６で運転時間が設定されたら、制御部４６は、室温センサ４２で検知された室温が３０℃以上か判断し（ステップＳ１０７）、室温が３０℃以上であれば後述する高温モードに遷移する（ステップＳ１０８）。
【００４２】
ステップＳ１０７で室温が３０℃未満と判断されたら、制御部４６は、室温センサ４２で検知された室温が１０℃以上かつ３０℃未満の範囲にあるか判断し（ステップＳ１０９）、室温が前記範囲にあれば後述する通常モードに遷移する（ステップＳ１１０）。
【００４３】
ステップＳ１０９で室温が１０℃以上かつ３０℃未満の範囲にないと判断されたら、制御部４６は、室温センサ４２で検知された室温が所定値である１０℃未満だと判断して後述する低温モードに遷移する（ステップＳ１１１）。
【００４４】
室温センサ４２で検知された室温によりステップＳ１０８の高温モード、ステップＳ１１０の通常モード、及びステップＳ１１１の低温モードへの遷移が完了したら、制御部４６は、ステップＳ１０５あるいはステップＳ１０６で設定した運転時間が経過したか判断し（ステップＳ１１２）、設定した運転時間が経過していれば送風モータ９と圧縮機３９を停止させ運転を停止させ、設定した運転時間が経過していなければステップＳ１１２の判断を繰り返す。
【００４５】
（高温モード）
次に、ステップＳ１０８の高温モードについて詳述する。
室温センサ４２で検知された室温が３０℃以上で高温の場合、制御部４６は、圧縮機３９をＯＮ状態にすると共に送風モータ９を中程度の風量であるＦ３で駆動させ、圧縮機３９をＯＮ状態にして送風モータ９を駆動させてから１５分経過したと判断したら、圧縮機３９をＯＦＦ状態にして送風モータ９を停止させる。
そして、圧縮機３９をＯＦＦ状態にして送風モータ９を停止させてから５分経過したと判断したら、制御部４６は、再度圧縮機９をＯＮ状態にすると共に送風モータ９を中程度の風量であるＦ３で駆動させる。
【００４６】
このように、圧縮機３９をＯＮ状態にして送風モータ９を中程度の風量であるＦ３で駆動させる動作の１５分と、圧縮機３９をＯＦＦ状態にして送風モータ９を停止させる動作の５分をステップＳ１０５かステップＳ１０６で設定された運転時間まで繰り返すことで、室温が高いことで凝縮器６内の冷媒温度が高まりやすいことにより過昇温度制御が頻繁に実施され、衣類や布団の乾燥運転が長時間に渡り継続されないことを防止し、確実に衣類や布団の乾燥運転を継続して実施することができる。
【００４７】
（通常モード）
次に、ステップＳ１０９の通常モードについて図７に基づいて詳述する。
室温センサ４２で検知された室温が１０℃以上かつ３０℃未満の場合、制御部４６は、熱交温度センサ４１での検知温度を確認し、検知温度が４０℃未満であれば、図９の（Ａ）で示すようにダンパー４４を全閉状態にしてバイパス経路４５の通風量をゼロにし、冷風経路３７の冷風が温風経路３８内へ流れ込まないようにする。
【００４８】
通常モードを継続し、熱交温度センサ４１での検知温度が所定の開度変更温度である４０℃以上になったら、制御部４６は、図９の（Ｂ）で示すようにダンパー４４が開１の状態となるよう動作させバイパス経路４５内を通過可能な状態にし、冷風経路３７の冷風が凝縮器６を介して温風経路３８内へ送風する。
これにより、凝縮器６の温度上昇が緩和されることから、熱交温度センサ４１での検知温度の上昇率がダンパー４４を全閉状態にしたときと比較して緩やかになる。
【００４９】
通常モードを継続し、熱交温度センサ４１での検知温度が所定の高温値よりも低く所定の開度変更温度よりも高い所定値である４５℃以上になったら、制御部４６は、図９の（Ｃ）で示すようにダンパー４４が開２の状態となるよう動作させ、開１の状態よりバイパス経路４５内の通風量が多くなるようにし、送風モータ９の風量を中程度より少し大きいＦ２に切り替える。
これにより、冷風経路３７から凝縮器６を介して温風経路３８へ供給される冷風量がダンパー４４を開１の状態にしたときより増加することから、熱交温度センサ４１での検知温度の上昇率がダンパー４４を開１の状態にしたときより緩やかになる。
【００５０】
通常モードを継続し、熱交温度センサ４１での検知温度が所定の高温値よりも低く所定の開度変更温度よりも高い所定値である５０℃以上になったら、制御部４６は、図９の（Ｄ）で示すようにダンパー４４を全開状態にし、開２の状態よりバイパス経路４５内の通風量が多くなるようダンパー４４を動作させると共に縦ルーバ１９を閉止し、送風モータ９の風量を大風量であるＦ１に切り替える。
これにより、冷風経路３７から凝縮器６を介して温風経路３８へ供給される冷風量がダンパー４４を開２の状態にしたときより増加することから、熱交温度センサ４１での検知温度の上昇率がダンパー４４を開２の状態にしたときより緩やかになる。
【００５１】
通常モードを継続し、熱交温度センサ４１での検知温度が所定の高温値である６５℃以上になったら、制御部４６は、過昇温度制御が働き圧縮機３９をＯＦＦ状態に切り替えると共に送風モータ９の風量を最大風量であるＦ０に切り替える。
これにより、凝縮器６の温度上昇を抑えて温風吹出口２６から高温の温風が吹き出すのを防止することができる。
【００５２】
そして、熱交温度センサ４１での検知温度が４５℃以下になったら、制御部４６は、圧縮機３９をＯＮ状態にして送風モータ９を中程度の風量であるＦ３で駆動させ、ダンパー４４を閉止して縦ルーバ１９を開放することで、衣類や布団の乾燥運転を継続する。
【００５３】
（低温モード）
次に、ステップＳ１１１の低温モードについて図８に基づいて説明する。
室温センサ４２で検知された温度が所定値である１０℃未満の場合、制御部４６は、熱交温度センサ４１での検知温度を確認し、検知温度が４５℃以下であれば、図９の（Ｂ）で示すようにダンパー４４が開１の状態となるよう動作させバイパス経路４５内を冷風が通過可能な状態にし、冷風経路３７の冷風を温風経路３８内へ送風する。
これにより、衣類や布団の乾燥を実施しつつ冷風吹出口１８から送風される冷風量が減少することから室内の室温低下を抑制することができる。
【００５４】
低温モードを継続し、熱交温度センサ４１での検知温度が所定の開度変更温度である４５℃以上になったら、制御部４６は、図９の（Ｃ）で示すようにダンパー４４が開２の状態となるよう動作させ、開１の状態よりバイパス経路４５を通過し凝縮器６を介して温風経路３８へ供給される冷風量が多くなるようにし、送風モータ９の風量を中程度より少し大きいＦ２に切り替える。
これにより、冷風経路３７から凝縮器６を介して温風経路３８へ供給される冷風量がダンパー４４を開１の状態にしたときより増加することから、熱交温度センサ４１での検知温度の上昇率がダンパー４４を開１の状態にしたときより緩やかになる。
【００５５】
低温モードを継続し、熱交温度センサ４１での検知温度が５０℃以上になったとき、及び所定の高温値である６５℃以上になったときの制御内容は通常モードと同様なので説明を省略する。
そして、過昇温度制御が実施された後、熱交温度センサ４１での検知温度が４５℃以下になったら、制御部４６は、圧縮機３９をＯＮ状態にして送風モータ９を中程度の風量であるＦ３で駆動させ、ダンパー４４を開１の状態にして縦ルーバ１９を開放することで、衣類や布団の乾燥運転を継続する。
【００５６】
また、低温モードの実施中において、蒸発器５の温度を検知する図示しない熱交温度センサにより蒸発器５に付着した霜を取り除く除霜運転を開始する所定の除霜開始温度が検知されたと判断したら、制御部４６は、図９（Ａ）で示すようにダンパー４４を全閉状態にしつつ送風モータ９を駆動させる状態に切り替えるので、除霜運転により蒸発器５表面に発生した霜が溶かされたことで水分を多く含む湿った空気がバイパス経路４５を介して温風経路３８へ案内され、温風吹出口２６から衣類や布団に送風されることを防止できるため、湿った空気が衣類や布団に送風されることで乾燥効率が低下するのを防止することができる。
【００５７】
以下に、本発明の効果について説明する。
【００５８】
乾燥運転が選択され通常モードが実施される場合、熱交温度センサ４１での検知温度の上昇に伴いダンパー４４の開度を変更し、冷風経路３７からバイパス経路４５を通過し凝縮器６を介して温風経路３８へ流入する冷風量を増加させるので、図１０で示すように、従来の除湿機の運転での熱交温度センサ４１の検知温度による凝縮器６の温度上昇を示す破線より、本発明の除湿機の乾燥運転での熱交温度センサ４１の検知温度による凝縮器６の温度上昇を示す実線の方が緩やかに上昇方向へ推移することから、経過時間当たりにおける６０℃付近の高温温風が吹き出す割合が従来と比較し本発明の方が減少するため、高温温風に弱い素材で作られた衣類や高温に弱いウレタン等で作られた布団について本発明の乾燥運転を実施することで、高温温風による衣類や布団の痛みを抑制することができる。
【００５９】
また、低温モードが実施される場合、ダンパー４４を開１の状態にして冷風経路３７内の冷風がバイパス経路４５を通過し温風経路３８へ流入するようにしたので、ダンパー４４を全閉にした状態と比較し冷風吹出口１８から送風される冷風量が減少するため、室内が低温のときに冷風吹出口１８から冷風が送風されることで室内温度が更に低下することを防止すると共に、熱交温度センサ４１での温度上昇率が従来の除湿機と比較して緩やかになることから、経過時間当たりにおける６０℃付近の高温温風が吹き出す割合が従来と比較し本発明の方が減少するため、高温温風に弱い素材で作られた衣類や高温に弱いウレタン等で作られた布団について本発明の乾燥運転を実施することで、高温温風による衣類や布団の痛みを抑制することができる。
【００６０】
なお、本実施形態では凝縮器６の温度を検知する熱交温度センサ４１を温風温度推定手段とし、熱交温度センサ４１の検知値によりダンパー４４の開度を変更する内容で説明したが、温風吹出口２６付近に温度センサを設置し温風温度を検知してダンパー４４の開度を変更する内容や、蒸発器５の熱交温度や冷凍サイクル中の冷媒温度から温風吹出口２６から吹き出される温風温度を推定してダンパー４４の開度を変更する内容であってもよく、温風吹出口２６から送風される温風温度が推定可能であれば、温風温度推定手段として本発明の範疇に含まれるものである。
【００６１】
また、本実施形態では冷風吹出口１８付近にダンパー４４及びバイパス経路４５が配置された構成で説明したが、これに限らず、隔壁１０に冷風経路３７と温風経路３８とが連通可能となる穴を形成してバイパス経路とし、当該穴に設置した移動可能な板を冷風調節手段として機能させる内容であってもよく、冷風経路３７内の冷風が温風経路３８内へ流入可能で温風経路３８へ流入する冷風量が調節可能であり、冷風と混合した温風温度が検知可能な構成であれば、バイパス経路４５及びダンパー４４の位置や構成について特に限定はされない。
【符号の説明】
【００６２】
１      本体ケース
５      蒸発器
６      凝縮器
９      送風モータ
１１      冷風吸込口
１６      温風吸込口
１８      冷風吹出口
２６      温風吹出口
３７      冷風経路
３８      温風経路
３９      圧縮機
４０      膨張器
４１      熱交温度センサ（温風温度推定手段）
４２      室温センサ
４４      ダンパー（冷風調節手段）
４５      バイパス経路
４６      制御部
【図１】
2020078786.tif 000003
【図２】
2020078786.tif 000004
【図３】
2020078786.tif 000005
【図４】
2020078786.tif 000006
【図５】
2020078786.tif 000007
【図６】
2020078786.tif 000008
【図７】
2020078786.tif 000009
【図８】
2020078786.tif 000010
【図９】
2020078786.tif 000011
【図１０】
2020078786.tif 000012